(57)【要約】【課題】撮影時以外のときに、キャビネットの外部から力が加わっても、レンズバリアが閉位置から不用意に開かない電気機器を提供する。【解決手段】デジタルカメラは、キャビネット2内に、レンズ3と、レンズ3に被さる閉位置とレンズ3を露出させる開位置との間を移動するレンズバリア1を設け、レンズバリア1はレンズ3前面に対して傾き可能に設けられている。キャビネット2内には、レンズバリア1の閉位置に対応して予備ストッパ4が設けられている。該予備ストッパ4は、レンズバリア1がレンズ3前面に略平行な状態でレンズバリア1の通過を許し、レンズバリア1が閉位置にてレンズ3前面に接近する向きに傾いた状態で、レンズバリア1の開位置側端部に当接する高さに形成されている。【選択図】図３
2006171391.tif 000002
【特許請求の範囲】
【請求項１】
キャビネット(２)内に、レンズ(３)と、レンズ(３)に被さる閉位置とレンズ(３)を露出させる開位置との間を移動するレンズバリア(１)を設け、レンズバリア(１)はレンズ(３)前面に対して傾き可能に設けられ、
キャビネット(２)内には、レンズバリア(１)の閉位置に対応して予備ストッパ(４)が設けられ、
該予備ストッパ(４)は、レンズバリア(１)がレンズ(３)前面に略平行な状態でレンズバリア(１)の通過を許し、レンズバリア(１)が閉位置にてレンズ(３)前面に接近する向きに傾いた状態で、レンズバリア(１)の開位置側端部に当接する高さに形成されたことを特徴とする電気機器。
【請求項２】
レンズバリア(１)は弾性体(６)を介して、レンズ(３)前面に対して揺動可能に設けられた請求項１に記載の電気機器。
【請求項３】
レンズバリア(１)は、レンズ(３)前面に対して弾性変形可能に設けられた請求項１に記載の電気機器。
【請求項４】
レンズバリア(１)はキャビネット(２)内に回動可能に設けられ、レンズバリア(１)上にて回動中心の近傍には、貫通孔(10)が開設された請求項３に記載の電気機器。
【請求項５】
キャビネット(２)内に、被保護部材と、被保護部材に被さる閉位置と被保護部材を露出させる開位置との間を移動するバリア体を設け、バリア体は被保護部材前面に対して傾き可能に設けられ、
キャビネット(２)内には、バリア体の閉位置に対応して予備ストッパ(４)が設けられ、
該予備ストッパ(４)は、バリア体が被保護部材前面に略平行な状態でバリア体の通過を許し、バリア体が閉位置にて被保護部材前面に接近する向きに傾いた状態で、バリア体の開位置側端部に当接する高さに形成されたことを特徴とする電気機器。
【発明の詳細な説明】
【技術分野】
【０００１】
本発明は、バリア体を具えた電気機器、具体的にはレンズを保護するレンズバリアを具えたデジタルカメラ、デジタルムービー、プロジェクタ等の電気機器に関する。
【背景技術】
【０００２】
以下、電気機器として、デジタルカメラを例示するが、本発明の内容はデジタルカメラに限定されない。
斯種カメラにあっては、レンズが露出したままであると、レンズが汚れたり傷付く虞れがある。このため、撮影時にはレンズを露出させ、撮影時以外の場合はレンズに被さってレンズを保護するレンズバリアを設けたデジタルカメラがある(例えば、特許文献１参照)。
図６(a)、(b)は、特許文献１に開示されたものではないが、従来のデジタルカメラを前面から見た斜視図であり、(a)は撮影時を、(b)は撮影時以外の場合を夫々示す。キャビネット(２)内にはレンズ(３)及び撮影時にレンズ(３)に被さってレンズ(３)を保護する電動式のレンズバリア(１)が設けられている。レンズバリア(１)は撮影時には、レンズ(３)の前面から外れて、レンズ(３)内に被写体画像が入射することを許す。以下の記載では、レンズバリア(１)がレンズ(３)に被さった位置を閉位置、レンズバリア(１)がレンズ(３)から外れた位置を開位置と呼ぶ。
【０００３】
図７(a)、(b)は、キャビネット(２)の前カバーを外して見た斜視図であり、夫々図６(a)、(b)に対応している。レンズバリア(１)は基端部がギアモータ(Ｍ)の出力軸(５)に取り付けられ、該出力軸(５)を中心として、閉位置と開位置の間を回動する。レンズバリア(１)はレンズ(３)に対応して開口(43)を設けた板片(40)に対向し、該板片(40)上に閉位置及び開位置に対応した第１、第２ストッパ(41)(42)が夫々設けられている。閉位置では図７(b)に示すように、レンズバリア(１)の端面が第１ストッパ(41)に当たりレンズ(３)を保護する状態を保つ。開位置では図７(a)に示すように、レンズバリア(１)の端面が第２ストッパ(42)に当たり、レンズ(３)を露出した状態を保つ。
図８は、レンズバリア(１)の基端部を拡大した斜視図である。レンズバリア(１)の基端部は、出力軸(５)にシャフト(51)で押さえて保持される。出力軸(５)にはレンズバリア(１)に嵌まる出力伝達ピン(52)が一体に設けられており、ギアモータ(Ｍ)の回転がレンズバリア(１)に伝わる。ギアモータ(Ｍ)にはネジリバネ(図示せず)が配備されて、閉位置にてレンズバリア(１)を第１ストッパ(41)に押圧する。これにより、ギアモータ(Ｍ)の動作を止めても、ネジリバネの付勢力を超える外力が加わらない限り、レンズバリア(１)は閉位置から開かない。
【０００４】
【特許文献１】特開２００２−１８２２７１号
【発明の開示】
【発明が解決しようとする課題】
【０００５】
上記の如く、閉位置ではネジリバネの付勢力により、レンズバリア(１)を第１ストッパ(41)に押圧している。しかし、かかる付勢力が大きいと、ギアモータ(Ｍ)のトルクが増え、ギアモータ(Ｍ)にとって負荷となる。また、ネジリバネの付勢力を大きくせんとして、ネジリバネの線径を太くすることはギアモータ(Ｍ)の小型化に反する。更に、ネジリバネの付勢力を大きくせんとして、ネジリバネの捻り角度を大きくすると、ネジリバネの破断の虞れがある。
従って、ネジリバネの付勢力は比較的小さく設定されている。このため、撮影時以外のときに、キャビネット(２)の外部から力が加わると、レンズバリア(１)が閉位置から不用意に開き、レンズ(３)が汚れたり、傷付く虞れがある。
本発明の目的は、撮影時以外のときに、キャビネット(２)の外部から力が加わっても、レンズバリア(１)が閉位置から不用意に開かない電気機器を提供することにある。
【課題を解決するための手段】
【０００６】
電気機器は、キャビネット(２)内に、レンズ(３)と、レンズ(３)に被さる閉位置とレンズ(３)を露出させる開位置との間を移動するレンズバリア(１)を設け、レンズバリア(１)はレンズ(３)前面に対して傾き可能に設けられている。
キャビネット(２)内には、レンズバリア(１)の閉位置に対応して予備ストッパ(４)が設けられ、
該予備ストッパ(４)は、レンズバリア(１)がレンズ(３)前面に略平行な状態でレンズバリア(１)の通過を許し、レンズバリア(１)が閉位置にてレンズ(３)前面に接近する向きに傾いた状態で、レンズバリア(１)の開位置側端部に当接する高さに形成されている。
【発明の効果】
【０００７】
撮影時以外のときは、レンズバリア(１)は閉位置にあって、レンズ(３)の前面に被さる。
キャビネット(２)の外部から力が加わらない状態
キャビネット(２)の外部から力が加わらなければ、レンズバリア(１)は、レンズ(３)前面に略平行な状態で閉位置を保つ。レンズバリア(１)を閉位置から開位置に向けて動かそうとすれば、予備ストッパ(４)はレンズバリア(１)がレンズ(３)前面に略平行な状態でレンズバリア(１)の通過を許す高さに形成されているから、レンズバリア(１)はスムーズに開位置に向けて動く。
キャビネット(２)の外部から力が加わった状態
閉位置にてキャビネット(２)の外部から力が加わると、レンズバリア(１)には、レンズバリア(１)を開く向きの力の他に、レンズバリア(１)をレンズ(３)の前面に向けて押しつける向きの力が加わる。レンズバリア(１)は、レンズ(３)前面に接近する向きに傾き、予備ストッパ(４)はレンズバリア(１)の開位置側端部に接する。予備ストッパ(４)によりレンズバリア(１)は開位置への移動を規制され、レンズバリア(１)は閉位置から不用意に開かない。
従って、撮影時以外のときに、キャビネット(２)の外部から力が加わっても、レンズバリア(１)は閉位置から不用意に開かない。これによって、レンズ(３)を保護することができる。
【発明を実施するための最良の形態】
【０００８】
(第１実施例)
以下、本発明の一実施例を図を用いて詳述する。
キャビネット(２)の全体外観は、図６(a)、(b)に示す従来の構成に略等しい。図１は、本例に係わるキャビネット(２)の前カバーを外して見た斜視図であり、レンズバリア(１)は閉位置にある。レンズバリア(１)は基端部がギアモータ(Ｍ)の出力軸(５)に取り付けられ、該出力軸(５)を中心として、閉位置と開位置の間を回動する平板体である。レンズバリア(１)は板片(40)に対向し、該板片(40)上に閉位置及び開位置に対応した第１、第２ストッパ(41)(42)が夫々設けられている。閉位置ではレンズバリア(１)の端面が第１ストッパ(41)に当たり、開位置ではレンズバリア(１)の端面が第２ストッパ(42)に当たる。この点は従来と同様である。
板片(40)上には、レンズバリア(１)の閉位置に対応して予備ストッパ(４)が設けられている。予備ストッパ(４)は、閉位置にあるレンズバリア(１)の開位置側端部(図１のＢ)に接近しており、後記の如く、レンズバリア(１)が閉位置にてキャビネット(２)の外部から力が加わったときは、レンズバリア(１)の開位置側端部が予備ストッパ(４)に接する。
【０００９】
図２は、レンズバリア(１)の基端部を拡大した斜視図である。出力軸(５)上には、ウレタンゴム等から成る弾性体(６)を介してバリア保持台(50)が配備され、レンズバリア(１)の基端部は、バリア保持台(50)にシャフト(51)で押さえて保持される。即ち、レンズバリア(１)は弾性体(６)を介して出力軸(５)に取り付けられており、レンズ(３)前面に対して揺動可能となっている。
出力軸(５)にはレンズバリア(１)に嵌まる出力伝達ピン(52)が一体に設けられており、ギアモータ(Ｍ)の回転がレンズバリア(１)に伝わる。ギアモータ(Ｍ)にはネジリバネ(図示せず)が配備されて、閉位置にてレンズバリア(１)を第１ストッパ(41)に押圧する。
【００１０】
図３(a)、(b)は、図１の側面図であり、(a)はキャビネット(２)の外部から力が加わらない状態を、(b)はキャビネット(２)の外部から力が加わった状態を夫々示す。
レンズバリア(１)が閉位置にて、キャビネット(２)の外部から力が加わらない状態では、図３(a)に示すように、レンズバリア(１)はレンズ(３)前面に略平行な状態であり、前記予備ストッパ(４)はこの状態のレンズバリア(１)に接しない高さに形成されている。即ち、予備ストッパ(４)はレンズバリア(１)の先端部よりも低い。ギアモータ(Ｍ)を回転させて、レンズバリア(１)を閉位置から開位置に向けて回動させようとすると、予備ストッパ(４)はレンズバリア(１)の通過を許す高さに形成されているから、レンズバリア(１)はスムーズに開位置に向けて動く。
【００１１】
レンズバリア(１)が閉位置にて、キャビネット(２)の外部から力が加わると、レンズバリア(１)には、レンズバリア(１)を開く向きの力の他に、レンズバリア(１)をレンズ(３)の前面に向けて押しつける向きの力が加わる。レンズバリア(１)は、弾性体(６)を介して出力軸(５)に取り付けられているから、図３(b)に示すように、レンズバリア(１)はレンズ(３)前面に接近する向きに揺動して傾き、予備ストッパ(４)はレンズバリア(１)の開位置側端部に接する。予備ストッパ(４)によりレンズバリア(１)は開位置への移動を規制され、レンズバリア(１)は不用意に開かない。
従って、撮影時以外のときに、キャビネット(２)の外部から力が加わっても、レンズバリア(１)が閉位置から不用意に開かず、レンズ(３)を保護することができる。特に、前記の如く、ギアモータ(Ｍ)のネジリバネがレンズバリア(１)を第１ストッパ(41)に押圧する力が小さいときに、本構成は有効である。
【００１２】
(第２実施例)
レンズバリア(１)は一般にステンレス等の金属板から形成されており、レンズバリア(１)自体が弾性変形可能であれば、弾性体(６)を設けなくともよい。即ち、レンズバリア(１)が閉位置にて(即ち、撮影時以外のとき)、キャビネット(２)の外部から力が加わった際に、レンズバリア(１)が弾性変形して予備ストッパ(４)に接すれば、レンズバリア(１)は不用意に開かない。要は、レンズバリア(１)がレンズ(３)前面に対して傾き可能であればよい。
また、出願人は図４及び図５に示すように、レンズバリア(１)の回動中心を囲むように貫通孔(10)を開設することも着想している。かかる貫通孔(10)を開設することにより、レンズバリア(１)は剛性が稍弱くなってより弾性変形し易くなると考えられる。弾性体(６)を省くことにより、部品点数の削減にも繋がる。
また、貫通孔(10)の形状は、図５に実線で示す形状に限定されず、図５に一点鎖線で示すように、貫通孔(10)を更に大きくしても良く、レンズバリア(１)自体が弾性変形し易ければよい。図５に示すレンズバリア(１)に於いても、レンズバリア(１)が閉位置にてキャビネット(２)の外部から力が加わった際に、レンズバリア(１)は傾いて予備ストッパ(４)に接し、不用意に開かない。
【００１３】
上記例では、レンズバリア(１)は電動式としたが、一部のビデオカメラに見られるように、手動で動かしても良い。また、上記例ではレンズバリア(１)はレンズ(３)前面に略平行な面内を回動しているが、スライドして開閉する構成であっても良い。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１５】
【図１】キャビネットの前カバーを外して見た斜視図である。
【図２】レンズバリアの基端部を拡大した斜視図である。
【図３】(a)、(b)は、図１の側面図であり、(a)はキャビネットの外部から力が加わらない状態を、(b)はキャビネットの外部から力が加わった状態を夫々示す。
【図４】他の実施例の斜視図である。
【図５】図４のレンズバリアの正面図である。
【図６】従来のデジタルカメラを前面から見た斜視図であり、(a)は撮影時を、(b)は撮影時以外の場合を夫々示す。
【図７】(a)、(b)は、キャビネットの前カバーを外して見た斜視図であり、図６(a)、(b)に夫々対応している。
【図８】従来のレンズバリアの基端部を拡大した斜視図である。
【符号の説明】
【００１６】
(１)  レンズバリア
(２)  キャビネット
(３)  レンズ
(４)  予備ストッパ
(６)  弾性体
【図１】
2006171391.tif 000003
【図２】
2006171391.tif 000004
【図３】
2006171391.tif 000005
【図４】
2006171391.tif 000006
【図５】
2006171391.tif 000007
【図６】
2006171391.tif 000008
【図７】
2006171391.tif 000009
【図８】
2006171391.tif 000010